(57)【要約】      （修正有）【課題】可搬型コンソールの代わりに携帯端末を用いた放射線画像撮影システムにおいて、撮影や画像確認等の一連の医療行為を効率よく行うことができるようにする。【解決手段】放射線画像撮影システム１００が備える放射線画像撮影装置２は、携帯端末３からの要求に応じて、ウェブブラウザで表示可能なウェブコンテンツを生成するコンテンツ生成手段を備え、第１通信手段は、携帯端末３からの要求に応じて、ウェブコンテンツ及び画像データのうちの少なくとも一つを携帯端末に送信することが可能である。【選択図】図１
2019024673.tif 000002
【特許請求の範囲】
【請求項１】
放射線を受けることで放射線の線量に応じた量の電荷を発生させる複数の放射線検出素子が二次元状に配列された基板を有する放射線検知部と、
前記複数の放射線検出素子がそれぞれ発生させた電荷量を信号値として読み出し、各信号値に基づいて画像データを生成する読み出し部と、
ウェブブラウザを有する携帯端末と通信可能な第１通信手段と、
を備えた放射線画像撮影装置であって、
前記携帯端末からの要求に応じて、前記ウェブブラウザで表示可能なウェブコンテンツを生成するコンテンツ生成手段を備え、
前記第１通信手段は、前記携帯端末からの要求に応じて、前記ウェブコンテンツ及び前記画像データのうちの少なくとも一つを前記携帯端末に送信することが可能であることを特徴とする放射線画像撮影装置。
【請求項２】
外部システムから外部情報を受信可能な第２通信手段と、
前記外部情報及び前記画像データを記憶可能な記憶部と、を備え、
前記第１通信手段は、前記携帯端末からの要求に応じて、前記ウェブコンテンツ、前記画像データ及び前記外部情報のうちの少なくとも一つを前記携帯端末に送信することが可能であることを特徴とする請求項１に記載の放射線画像撮影装置。
【請求項３】
前記第２通信手段は、自動で又は前記携帯端末からの要求に応じて、前記画像データを前記外部システムに送信することが可能であることを特徴とする請求項２に記載の放射線画像撮影装置。
【請求項４】
前記コンテンツ生成手段は、前記外部システムから受信した情報を含めたウェブコンテンツを生成可能であることが可能であることを特徴とする請求項１から３のいずれか一項に記載の放射線画像撮影装置。
【請求項５】
請求項１から４のいずれか一項に記載の放射線画像撮影装置と、
表示部を有するとともに、前記放射線画像撮影装置と通信可能に接続された携帯端末と、
を備えることを特徴とする放射線画像撮影システム。
【請求項６】
ウェブブラウザを有する携帯端末と通信可能な第１通信手段と、外部システムから外部情報を受信可能な第２通信手段と、前記ウェブブラウザで表示可能なウェブコンテンツを生成するコンテンツ生成手段と、を備えた放射線画像撮影装置を用いた情報処理方法であって、
前記放射線画像撮影装置に、前記外部システムから前記第２通信手段を用いて前記外部情報を受信させ、
その後、前記放射線画像撮影装置に、前記外部情報を含むウェブコンテンツを生成させ、
その後、前記ウェブコンテンツを、前記第１通信手段を用いて前記携帯端末へ送信させることを特徴とする情報処理方法。
【発明の詳細な説明】
【技術分野】
【０００１】
本発明は、放射線画像撮影装置、この装置を備える放射線画像撮影システム及びこの装置を用いた情報処理方法に関する。
【背景技術】
【０００２】
近年、可搬型の放射線画像撮影システムが開発されている。この可搬型の放射線画像撮影システムは、パネル状の放射線画像撮影装置（ＦＰＤ（Flat Panel Detector）とも称される）や、放射線照射装置が積載された回診車、ノート型ＰＣ等で構成された可搬型コンソール等で構成されるのが一般的である。このシステムを用いれば、ユーザー（放射線技師等）が撮影現場へ当該システムを持って出向き、その場で撮影や画像確認等の一連の医療行為を行うことができる。このため、移動することが困難な患者の放射線画像撮影を容易に行うことが可能となる。
しかし、可搬型の放射線画像撮影システムは高価であるため、撮影数が少ない小病院等では、それが導入の障壁となっている。そこで、専用の可搬型コンソールの代わりに携帯端末を用いることで、システムの製造コストを下げる試みがなされている（特許文献１，２参照）。
【先行技術文献】
【特許文献】
【０００３】
【特許文献１】特開２０１０−０５１５２３号公報
【特許文献２】特開２０１６−１０１２１０号公報
【発明の概要】
【発明が解決しようとする課題】
【０００４】
特許文献１，２に記載のシステムは、放射線画像撮影装置が、病院内ネットワークを介してコンソール等と通信するようになっており、通信ネットワークが整備されていない環境下では機能しない。
また、特許文献１，２に記載のシステムは、診断情報や施設予約の入力・閲覧、放射線画像の撮影予約等を携帯端末の画面で行い、撮影した診断用画像を他の装置（特許文献１のシステムは放射線画像撮影装置の表示部、特許文献２のシステムは外部システム４の端末）に表示するので、行為に応じて確認に用いる装置を変える必要があり、撮影の効率が悪くなってしまう。
なお、端末装置に撮影用のアプリケーションをインストールすることで、一の装置で各種情報や撮影した画像を確認する手法も考えられるが、対象に応じてアプリケーションの切り替えを行う必要が生じるので、やはり撮影の効率を高めることは困難である。
【０００５】
本発明は、上記問題点に鑑みてなされたもので、可搬型コンソールの代わりに携帯端末を用いた放射線画像撮影システムにおいて、撮影や画像確認等の一連の医療行為を効率よく行うことができるようにすることを目的とする。
【課題を解決するための手段】
【０００６】
上記課題を解決するため、本発明に係る放射線画像撮影装置は、
放射線を受けることで放射線の線量に応じた量の電荷を発生させる複数の放射線検出素子が二次元状に配列された基板を有する放射線検知部と、
前記複数の放射線検出素子がそれぞれ発生させた電荷量を信号値として読み出し、各信号値に基づいて画像データを生成する読み出し部と、
ウェブブラウザを有する携帯端末と通信可能な第１通信手段と、を備えた放射線画像撮影装置であって、
前記携帯端末からの要求に応じて、前記ウェブブラウザで表示可能なウェブコンテンツを生成するコンテンツ生成手段を備え、
前記第１通信手段は、前記携帯端末からの要求に応じて、前記ウェブコンテンツ及び前記画像データのうちの少なくとも一つを前記携帯端末に送信することが可能であることを特徴とする。
【発明の効果】
【０００７】
本発明によれば、撮影や画像確認等の一連の医療行為を効率よく行うことができる。
【図面の簡単な説明】
【０００８】
【図１】本発明の実施形態に係る放射線画像撮影システムの概略構成図である。
【図２】図１の放射線画像撮影システムを構成する放射線画像撮影装置を表すブロック図である。
【図３】図２の放射線画像撮影装置の記憶部に記憶される外部システム４連携設定テーブルである。
【図４】図１の放射線画像撮影システムを構成する携帯端末を表すブロック図である。
【図５】図４の携帯端末が表示するウェブコンテンツの一例である。
【図６】図４の携帯端末が表示するウェブコンテンツの一例である。
【図７】図１の放射線画像撮影システムの動作を表すラダーチャートである。
【発明を実施するための形態】
【０００９】
以下、図を参照して本発明の実施の形態について詳細に説明する。ただし、発明の範囲は、図示例に限定されるものではない。
【００１０】
〔放射線画像撮影システムの構成〕
まず、本実施形態に係る放射線画像撮影システム１００の構成について説明する。図１は、本実施形態の放射線画像撮影システム１００の概略構成図である。
本実施形態の放射線画像撮影システム１００は、図１に示したように、放射線照射装置１や、放射線画像撮影装置２、携帯端末３等で構成されている。
また、放射線画像撮影システム１００は、コンソールを必要とせず、外部システム４と直接通信することが可能となっている。なお、ここで言う外部システム４とは、明電子カルテシステムや、放射線科情報システム（Radiology Information System：ＲＩＳ）、画像保存通信システム（Picture Archiving and Communication System：ＰＡＣＳ）、画像処理システム等の総称である。
【００１１】
放射線照射装置１は、ジェネレーター１１、放射線源１２、操作卓１３等を備えている。
ジェネレーター１１は、設定された管電圧や管電流、照射時間（ｍＡｓ値）等に応じた電圧を放射線源１２に印加するようになっている。
放射線源１２は、放射線を生成可能な図示しない回転陽極や回転陽極に電子ビームを照射するフィラメント等を有しており、ジェネレーター１１から印加された電圧に応じた線量の放射線Ｘを発生させる。
操作卓１３は、ユーザー（放射線技師等）が操作可能な操作部や曝射スイッチを備えている。そして、操作卓１３は、操作部が操作されたことに基づいて、各種撮影条件（管電圧や管電流、照射時間、電流時間積等の放射線の照射に関する条件）を設定することが可能となっている。また、操作卓１３は、曝射スイッチが操作されたことに基づいて、ジェネレーター１１に対し放射線の照射開始（電圧の印加）等を指示するようになっている。
放射線照射装置１は、回診車に組み込まれて、移動可能に構成されることもある。
【００１２】
放射線画像撮影装置２は、放射線照射装置１から放射線の照射を受けると、画像データを読み出すように構成されている。そして、読み出した画像データを自身で保持したり携帯端末３や外部システム４へ送信したりするようになっている。
放射線画像撮影装置２は、撮影台と一体化された専用機型のものでも、可搬型（カセッテ型）のものであっても差し支えないが、放射線照射装置１を移動可能に構成する場合には、可搬型とすることが好ましい。
なお、放射線画像撮影装置２の詳細については後述する。
【００１３】
携帯端末３は、放射線画像撮影装置２で撮影した放射線画像を確認するためのものである。携帯端末３の構成は、特に限定されるものでは無いが、持ち運びができる市販のスマートフォンやタブレット端末等の携帯端末で構成するのが好ましい。
携帯端末３は、一又は複数の放射線画像撮影装置２や外部システム４と通信可能に接続可能となっており、放射線画像撮影装置２や外部システム４から受信した画像データに基づく表示用画像を表示可能となっている。
なお、この携帯端末３の詳細については後述する。
【００１４】
〔放射線画像撮影装置の構成〕
次に、上記放射線画像撮影システム１００を構成する放射線画像撮影装置２の詳細について説明する。図２は、放射線画像撮影装置２のブロック図である。
放射線画像撮影装置２は、図２に示したように、制御部２１や、放射線検知部２２、読み出し部２３、通信部２４、記憶部２５等を備えて構成されており、各部２１〜２５はバス２６によって接続されている。また、図示しない内蔵電源から各部２１〜２５へ電力が供給されるようになっている。
【００１５】
制御部２１は、ＣＰＵ、ＲＡＭ等で放射線画像撮影装置２の各部の動作を統括的に制御するように構成されている。具体的には、電源スイッチが入れられたことや、放射線照射装置１から所定の制御信号を受信したこと、放射線照射装置１から放射線を受けたこと等に基づいて、記憶部２５に記憶されている各種処理プログラムを読み出してＲＡＭに展開し、当該処理プログラムに従って各種処理を実行する。
【００１６】
放射線検知部２２は、放射線を受けることで放射線の線量に応じた量の電荷を発生させる複数の放射線検出素子が二次元状に配列された基板を有するものであればよく、従来公知のものを用いることができる。
すなわち、放射線画像撮影装置２は、シンチレーターを備え、シンチレーターが放射線を受けることで発した光を検知するいわゆる間接型のものであってもよいし、シンチレーター等を介さずに放射線を直接検知するいわゆる直接型のものであってもよい。
また、放射線画像撮影装置２は、放射線照射装置１からの信号に基づいて電荷の蓄積を開始する連携方式のものであってもよいし、放射線照射装置１からの信号なしに自ら放射線の照射を検知して電荷の蓄積を開始する非連携方式のものであっても良い。
【００１７】
読み出し部２３は、複数の放射線検出素子がそれぞれ発生させた電荷量を信号値として読み出し、各信号値に基づいて画像データを生成することが可能に構成されていればよく、従来公知のものを用いることができる。
【００１８】
通信部２４は、ネットワークインターフェース等により構成され、ＬＡＮ（Local Area Network）、インターネット等の通信ネットワークを介して接続された携帯端末３との間でデータの送受信を行う。
なお、Bluetooth（登録商標）やＮＦＣ等の近距離無線通信等の通信インターフェース等を備え、例えば、近距離無線通信等を用いて、通信ネットワークから切り離された環境下でデータの送受信を行えるようにしてもよいし、携帯端末３と有線で接続してもよい。
また、公衆回線を介して通信するための図示しない公衆回線通信部を備え、携帯端末３以外の外部システム４と直接通信できるようにしてもよい。
【００１９】
記憶部２５は、ＨＤＤ（Hard Disk Drive）や半導体メモリー等により構成され、各種処理プログラム（各種画像処理プログラムや、ウェブサーバープログラム等）や、当該プログラムの実行に必要なパラメーター、ファイル等を記憶している。
また、記憶部２５は、読み出し部２３が生成した画像データを記憶することが可能であるとともに、撮影オーダー情報（撮影対象の患者情報、撮影部位、撮影方向、各種撮影条件等）を画像データに紐づけて記憶しておくことが可能となっている。
なお、撮影時のコメント等を画像データと紐付けて記憶するようにしてもよい。
【００２０】
また、記憶部２５は、外部システム４連携設定テーブルを記憶している。この外部システム４連携設定テーブルは、例えば、図３に示したように、携帯端末３から要求された内容、外部システム４を構成する各種システムの中の連携する対象となるサーバー、連携するサーバーのＵＲＬ、やり取りする情報の種別、情報に対して行う操作等を対応付けるテーブルである。
【００２１】
このように構成された放射線画像撮影装置２の制御部２１は、記憶部２５に記憶されている処理プログラムに従って以下のような動作をする。
例えば、制御部２１は、通信部２４を用いて、携帯端末３から患者リストや診療情報（外部情報）を受信したり、携帯端末３から画像データの調整内容を受信したりすることが可能となっている。
なお、診療情報とは、いわゆる電子カルテによって管理される患者に関する情報全般を含む。すなわち、患者の基本情報に加え、症状、検査、診断、治療計画、他に受診している医療機関、主治医などの情報を含む。
【００２２】
また、制御部２１は、通信部２４を用いて、生成した画像データや診療情報を携帯端末３へ送信することが可能となっている。なお、画像データの出力は、画像データが生成され次第自動で行うようにしてもよいし、外部からの送信の要求に基づいて行うようにしてもよい。また、画像データは分割して複数回に分けて出力するようにしてもよい。
制御部２１や通信部２４は、こうした動作を行うことにより、本発明における第１通信手段として機能する。
【００２３】
また、制御部２１は、携帯端末３のテザリング機能を用いることで、携帯端末３を介して、画像データや各種信号（患者リストや診療情報を要求する信号）を外部システム４へ送信することが可能となっている。
また、制御部２１は、携帯端末３を介して、外部システム４から患者リストや診療情報を受信することが可能となっている。
すなわち、制御部２１や通信部２４、携帯端末３は、本発明における第２通信手段としても機能する。
【００２４】
本実施形態の放射線画像撮影装置２は、第１通信手段によって携帯端末３との間で通信を行い、第２通信手段によって外部システム４との間で通信を行うようになっており、携帯端末３と外部システム４との間でやり取りされる情報は放射線画像撮影装置２を経由することとなる。すなわち、放射線画像撮影装置２は、本実施形態の放射線画像撮影システムにおいてゲートウェイをなしている。
なお、上述したように、放射線画像撮影装置２に公衆回線通信部を備えるようにする場合は、公衆回線通信部を外部システム４との通信用とし、通信部２４を携帯端末３との通信用として使い分けるようにしてもよい。この場合、制御部２１と公衆回線通信部とによって、本発明における第２通信手段が構成されることとなる。
【００２５】
また、制御部２１に、通信部２４を用いて、外部システム４（ＰＡＣＳ等）から一又は複数の過去画像データを取得する機能を持たせるようにしてもよい。過去画像データには、撮影条件（ｋＶ、ｍＡｓ、ＳＩＤ、グリッドの有無や、付加フィルターの有無、種類、線源検出器間距離、グリッド要否、自動露光制御の有無等）や画像処理パラメーターが含まれる。
また、制御部２１に、外部システム４との通信が途絶した場合に、通信再開した時点でデータのアップロードを再開させる機能を持たせてもよい。
【００２６】
また、制御部２１は、自動で又は携帯端末３からの要求に応じて、読み出し部２３が生成したＲａｗ画像データに対して所定の画像処理を実行し、少なくとも１種類の処理済画像データを生成することが可能となっている。すなわち、制御部２１は、本発明における画像生成手段をなす。
ここで実行される画像処理は、大きく分けて補正処理と表示用画像処理がある。補正処理には、オフセット補正、ゲイン補正、欠陥補正、散乱線除去処理等がある。表示用画像処理には、ノイズ低減処理、周波数処理、階調処理、空間変換処理（回転／反転）、解像度変換処理（プレビュー用の間引き画像作成のための処理）等がある。このようにすれば、様々な表示用画像（簡易な処理を適用したプレビュー画像データやフル処理を適用した診断用画像データ）を生成することが可能となる。
【００２７】
なお、これらの画像処理機能を、放射線画像撮影装置２の代わりに携帯端末３や外部システム４に持たせるようにしてもよい。
また、画像処理機能を放射線画像撮影装置２、携帯端末３、外部システム４の内の２つ以上に持たせ、それぞれの処理性能や通信速度等に基づいて画像処理を実行する装置を決定するようにしてもよい。
更に、画像処理機能を放射線画像撮影装置２、携帯端末３、外部システム４の内の２つ以上に持たせ、処理順序に依存性の無い複数の画像処理を、それぞれの装置に並行して実行させるようにしてもよい。
【００２８】
また、制御部２１は、携帯端末３からの要求に応じて、表示用画像を含むウェブコンテンツを生成することが可能となっている。すなわち、制御部２１は、本発明におけるコンテンツ生成手段をなす。
なお、制御部２１が生成するウェブコンテンツには、外部システム４から取得したデータを加工したものも含まれる。
また、ウェブコンテンツのデータに、ウェブブラウザ上で実行可能な処理プログラムを含めるようにしてもよい。ウェブコンテンツとして処理プログラムを送信する場合には、ウェブブラウザ上で実行可能なJavaScript（登録商標）やWebAssemblyの形式とすることが望ましい。
生成したウェブコンテンツは、制御部２１が、通信部２４を用いて、携帯端末３へ送信することとなる。
【００２９】
また、処理済画像データを記憶させる際には、制御部２１に、処理済画像データに処理を適用したパラメーターを含めるようにしてもよい。こうすることで、同じ画像データに対して再度画像処理を行う必要が生じたときに、迅速に処理を行うことができる。
また、処理済画像データのうち、処理コストが小さいものについては、記憶部２５に記憶せずに、処理に用いるパラメーターだけ記憶しておくようにしてもよい。これは、処理コストが大きいものと比べたときに、その都度画像処理を行ってもそれほど手間にならない場合があるためであり、このようにすれば、放射線画像撮影装置２の記憶部２５の容量を節約することができる。
【００３０】
〔携帯端末の構成〕
次に、上記放射線画像撮影システム１００を構成する携帯端末３の詳細について説明する。図４は携帯端末３の構成を表すブロック図である。
携帯端末３は、図４に示したように、制御部３１や、通信部３２、公衆回線通信部３２Ａ、記憶部３３、表示部３４、操作部３５等を備えて構成されており、各部３１〜３５はバス３６により接続されている。また、図示しない内蔵電源から各部３１〜３５へ電力が供給されるようになっている。
【００３１】
制御部３１は、ＣＰＵ、ＲＡＭ等で携帯端末３の各部の動作を統括的に制御するように構成されている。具体的には、操作部３５から操作信号が入力されたことや放射線画像撮影装置２から各種信号やデータを受信したことに基づいて、記憶部３３に記憶されている各種処理プログラムを読み出してＲＡＭに展開し、当該処理プログラムに従って各種処理を実行したり、表示部３４の表示内容を制御したりする。
【００３２】
通信部３２は、ネットワークインターフェース等により構成され、ＬＡＮ（Local Area Network）、インターネット等の通信ネットワークを介して接続された外部機器（放射線画像撮影装置２や外部システム４）との間でデータの送受信を行う。
また、Bluetooth（登録商標）やＮＦＣ等の通信インターフェース等を備え、例えば、近距離無線通信等を用いて、通信ネットワークから切り離された環境下でデータの送受信を行えるようにしてもよいし、外部機器と有線で接続してもよい。
【００３３】
公衆回線通信部３２Ａは、アンテナ等を有し、公衆回線用の電波を用いて外部システム４との間でデータの送受信を行う。
なお、上述したように、放射線画像撮影装置２に第２通信部を備えるようにする場合には、携帯端末３として、この公衆回線通信部３２Ａを備えないもの（Ｗｉ−ｆｉ専用のもの等）を用いてもよい。また、病院内ネットワークを利用できる環境にある場合には、公衆回線の代わりに病院内ネットワークを用いて外部システム４との通信を行うようにしてもよい。
【００３４】
記憶部３３は、ＨＤＤ（Hard Disk Drive）や半導体メモリー等により構成され、各種処理プログラム（システムプログラムやウェブブラウザ等のアプリケーションプログラム）、当該プログラムの実行に必要なパラメーターやデータ等を記憶している。
【００３５】
表示部３４は、ＬＣＤ等のモニターを備えて構成されており、制御部３１から入力される表示信号の指示に従って各種画面を表示する。
【００３６】
操作部３５は、各種キーを備えたキーボードやマウス等のポインティングデバイス、あるいは表示部３４に積層されたタッチパネルを備えて構成され、キーボードに対するキー操作やマウス操作、あるいはタッチパネルに対するタッチ操作の位置に応じて入力された操作信号を制御部３１に出力する。
【００３７】
このように構成された携帯端末３の制御部３１は、記憶部３３に記憶されている処理プログラムに従って以下のような動作をする。
例えば、制御部３１は、通信部３２を用いて、放射線画像撮影装置２から各種ウェブコンテンツのデータを受信することが可能となっている。
また、制御部３１は、ウェブブラウザ上で、操作部３５に対する操作（入力操作や選択操作）を受け付け、その内容（入力又は選択された撮影オーダー情報や画像データの調整指示）を放射線画像撮影装置２へ送信することが可能となっている。
【００３８】
また、制御部３１は、通信部３２及び公衆回線通信部３２Ａを用いて、放射線画像撮影装置２と外部システム４との通信を中継することが可能となっている。すなわち、テザリング機能を有している。
【００３９】
また、制御部３１は、受信したウェブコンテンツのデータに基づいて、表示部３４に、図５（ａ）に示したような、撮影オーダー情報のリスト画面Ｌや、図５（ｂ）に示したような、診療情報画面Ｉ等を表示させることが可能となっている。
本実施形態の診療情報画面Ｉには、ベース領域Ｉ１と可変領域Ｉ２と、がある。ベース領域Ｉ１には、患者の情報や撮影条件等が表示される。一方、可変領域Ｉ２には、図６（ａ）に示したように、撮影した画像や、患者のカルテ等を表示することができる。また、可変領域Ｉ２は、図６（ｂ）に示したように、複数種類の画像（例えば、同一患者の異なる部位等）を一度に表示することも可能である。
【００４０】
表示部３４に表示されるウェブコンテンツは、主に放射線画像撮影装置２によって生成されたものとなるが、外部システム４が生成したウェブコンテンツを表示するようにしてもよい。本実施形態のような診療情報画面Ｉを表示する場合には、例えば、ベース領域Ｉ１を放射線画像撮影装置２で生成するものとし、可変領域Ｉ２に外部システム４で生成したウェブコンテンツ、又は放射線画像撮影装置２が外部システム４から受信したデータを加工して生成したウェブコンテンツをはめ込むようにしてもよい。
【００４１】
なお、リスト画面Ｌや、診療情報画面Ｉ等は、携帯端末３に別途インストールされるコンソールアプリケーションによって表示されるものとしてもよい。その場合は、放射線画像撮影装置２から画像データを受信し、記憶部２５に記憶する機能を持たせるようにする。
従来は、表示内容を切り替える度に、アプリケーションやブラウザのタブを切り替える必要があったが、本実施形態のように、放射線画像撮影装置２をゲートウェイとすることで、同一のタブあるいはアプリケーション上で、表示を切り替えることができるようになり、シームレスな操作が可能となる。
【００４２】
また、放射線画像撮影装置２に、処理を適用したパラメーターを併せて記憶させる機能を持たせる場合には、過去画像からのパラメーターを自動で引き継ぐ場合と手動で調整する場合とで、オーバーレイ表示等の視認性を変えるようにしてもよい。
また、画像の調整を行う場合には、調整用パラメーターの現在値を表示するようにしてもよい。
【００４３】
また、放射線画像撮影装置２に、外部システム４から過去画像データを取得する機能を持たせる場合には、その過去画像データに基づく過去画像を表示部３４に表示するようにしてもよい。また、このような場合、表示部３４に複数の過去画像の一覧を表示し、切替え可能できるようにしてもよいし、図６（ｂ）に示したように、過去画像を今回撮影した画像と併せて表示するようにしてもよい。
また、過去画像と合わせて過去の撮影条件や処理パラメーターを表示（オーバーレイ等）できるようにしてもよい。こうすることで、過去にどのような撮影を行ったのか参考にすることができる。
【００４４】
また、ウェブコンテンツにウェブブラウザ上で実行可能な処理プログラムを含めるようにする場合には、処理プログラムとして、放射線画像撮影装置２から受信した画像データに画像補正（ゲイン補正、オフセット補正、あるいは欠陥補正等）を行うための処理を含めるようにしてもよい。このようにすれば、放射線画像撮影装置２毎に生じる画像データの個体差を補正することができる。
また、処理プログラムに、一度取得した処理プログラムをウェブブラウザ内にキャッシュしたり、バージョンが異なる場合のみ処理プログラムを再取得したりする処理を含めるようにしてもよい。このようにすれば、同じ画像処理を行う場合に、処理プログラムの受信の必要がなくなるので、表示の迅速化の観点から好ましい。
【００４５】
また、処理プログラムに、処理の重要度や処理コストに応じて、実行する画像処理を一部省略する、もしくは一部の処理の実行を放射線画像撮影装置２に差し戻す処理を含めるようにしてもよい。このようにすれば、携帯端末３の制御部３１に過度の負担がかかるのを防ぐことができる。
また、処理プログラムに、ウェブブラウザ終了あるいは撮影終了の操作に基づいて、記憶部３３に記憶されている画像データやパラメーターを消去する処理を含めるようにしてもよい。このようにすれば、撮影終了後は、携帯端末３に患者の個人情報が残らなくなるので、セキュリティの観点から好ましい。
【００４６】
〔放射線画像撮影システムの動作〕
次に、放射線画像撮影システム１００の動作について説明する。図７は本実施形態に係る放射線画像撮影システム１００を用いた放射線画像撮影から表示までの流れを表すラダーチャートである。
【００４７】
図７に示したように、まず、ユーザーが、検査の開始を指示すると（ステップＳ１）、携帯端末３が撮影オーダー情報の入力画面のウェブコンテンツを要求する信号を放射線画像撮影装置２へ送信する（ステップＳ２）。
その後、放射線画像撮影装置２が信号を受信すると、検査リストを要求する信号を外部システム４へ送信する（ステップＳ３）。
その後、外部システム４が信号を受信すると、検査リストを放射線画像撮影装置２へ送信する（ステップＳ４）。
【００４８】
その後、放射線画像撮影装置２が、検査リストを受信すると、それを保存し（ステップＳ５）、検査リストのウェブコンテンツを作成し、そのデータを携帯端末３へ送信する（ステップＳ６）。
その後、携帯端末３がデータを受信すると、そのデータに基づいて検査リストのウェブページ（リスト画面Ｌ、図５（ａ）参照）を表示する（ステップＳ７）。
なお、入力画面を携帯端末３にインストールされたアプリケーション等で表示する場合には、ステップＳ１の後、ステップＳ２において、携帯端末３が放射線画像撮影装置２から検査リストのデータを受信し、ステップＳ８において、アプリケーションがデータに基づいて表示することとなる。
【００４９】
その後、ユーザーが、検査リストから撮影オーダー情報を選択すると（ステップＳ８）、携帯端末３が、診療情報のウェブコンテンツを要求する信号を放射線画像撮影装置２へ送信する（ステップＳ９）。
その後、放射線画像撮影装置２が信号を受信すると、診療情報を要求する信号を外部システム４へ送信する（ステップＳ１０）。
その後、外部システム４が信号を受信すると、診療情報を放射線画像撮影装置２へ送信する（ステップＳ１１）。
その後、放射線画像撮影装置２が、診療情報を受信すると、診療情報のウェブコンテンツを作成し、そのデータを携帯端末３へ送信する（ステップＳ１２）。
その後、携帯端末３がデータを受信すると、そのデータに基づいて診療情報のウェブページ（診療情報画面Ｉ、図５（ｂ）等参照）を表示する（ステップＳ１３）。
【００５０】
その後、ユーザーが、撮影の予約を指示すると（ステップＳ１４）、携帯端末３が、放射線画像撮影装置２へ、待機を要求する信号を送信する（ステップＳ１５）。
その後、放射線画像撮影装置２が信号を受信すると、撮影が可能な状態で待機する（ステップＳ１６）。そして、撮影画面のウェブコンテンツを生成し、そのデータを携帯端末３へ送信する（ステップＳ１７）。
その後、携帯端末３がデータを受信すると、そのデータに基づいて撮影画面のウェブページを表示する（ステップＳ１８）。
【００５１】
放射線画像撮影装置２が待機している状態で、ユーザーが撮影画面に表示された、患者名や撮影オーダー情報等を確認し、撮影操作、すなわち曝射スイッチを押下すると（ステップＳ１９）、放射線照射装置１が患者（放射線画像撮影装置２）へ放射線を照射し、放射線画像撮影装置２が撮影（画像データの生成）を行い（ステップＳ２０）、画像データを、診療情報と紐づけて記憶部３３に記憶する（ステップＳ２１）。そして、画像データに基づいて撮影画像のウェブコンテンツを作成し、そのデータを携帯端末３へ送信する（ステップＳ２２）。
その後、携帯端末３がウェブコンテンツのデータを受信すると、そのデータに基づいて撮影画像のウェブページを表示する（ステップＳ２３）。
【００５２】
なお、放射線画像撮影装置２が画像処理機能を備えている場合には、ステップＳ２１に前後して又はステップＳ２１と並行して画像処理を行う（ステップＳ２１ａ）。
また、撮影画像をアプリケーションで表示する場合には、ステップＳ２２においてウェブコンテンツの作成は行わず、画像データを携帯端末３へ送信する。そして、携帯端末３が、受信した画像データを記憶し、ステップＳ２３において、画像データに基づいて撮影画像を生成し表示する。
【００５３】
ステップＳ２３の後、ユーザーが携帯端末３に表示された撮影画像を確認する（ステップＳ２４）。ここで、処理済画像を確認したユーザーが、画像の調整が必要であると判断する場合がある。そのような場合、ユーザーが、携帯端末３の操作部３５を介して撮影画像対する画像調整を指示すると（ステップＳ２４ａ）、携帯端末３が、撮影画像の調整内容を放射線画像撮影装置２へ送信する（ステップＳ２４ｂ）。そして、放射線画像撮影装置２が、調整パラメーターの更新を受けて、画像データの再処理（調整）を行う（ステップＳ２４ｃ）。そして、画像調整によって得られた調整済画像データに基づいて調整済画像のウェブコンテンツを作成し、そのデータを携帯端末３へ送信する（ステップＳ２４ｄ）。その後、携帯端末３が受信したデータに基づいて調整済画像のウェブページを表示することとなる（ステップＳ２４ｅ）。
なお、画像の調整は、携帯端末３で行うようにしてもよい。
【００５４】
ユーザーが携帯端末３に表示された調整済み画像を確認し、問題が無いと判断して、画像データの出力を指示すると（ステップＳ２５）、携帯端末３が画像データの出力を要求する信号を放射線画像撮影装置２へ送信する（ステップＳ２６）。
その後、放射線画像撮影装置２が信号を受信すると、画像データを外部システム４へ出力する（ステップＳ２７）。
その後、外部システム４が画像データを受信すると、それを保存するとともに、診療情報に反映させる（ステップＳ２８）。
【００５５】
ステップＳ２７の後、放射線画像撮影装置２が、診療情報を要求する信号を外部システム４へ送信する（ステップＳ２９）。
その後、外部システム４が信号を受信すると、今回撮影された画像が反映された診療情報を放射線画像撮影装置２へ送信する（ステップＳ３０）。
その後、放射線画像撮影装置２が診療情報を受信すると、診療情報画面のウェブコンテンツを生成し、そのデータを携帯端末３へ送信する（ステップＳ３１）。
その後、携帯端末３がデータを受信すると、そのデータに基づいて診療情報画面のウェブページを表示する（ステップＳ３２）。
なお、診療情報画面をアプリケーションで表示する場合には、最後に、必要に応じて、記憶していた画像データを消去するようにする。
【００５６】
以上のように、本実施形態の放射線画像撮影システム１００の放射線画像撮影装置２は、放射線を受けることで放射線の線量に応じた量の電荷を発生させる複数の放射線検出素子が二次元状に配列された基板を有する放射線検知部２２と、複数の放射線検出素子がそれぞれ発生させた電荷量を信号値として読み出し、各信号値に基づいて画像データを生成する読み出し部２３と、ウェブブラウザを有する携帯端末３と通信可能な第１通信手段と、外部システム４から外部情報を受信可能な第２通信手段と、外部情報及び画像データを記憶可能な記憶部２５と、を備えたものであって、携帯端末３からの要求に応じて、ウェブブラウザで表示可能なウェブコンテンツを生成するコンテンツ生成手段を備え、第１通信手段は、携帯端末３からの要求に応じて、ウェブコンテンツ、画像データ及び外部情報のうちの少なくとも一つを携帯端末３に送信することが可能となっている。
【００５７】
こうすることで、放射線画像撮影装置２が外部システム４から診療情報や過去の検査画像を取得し、診療情報及び今回撮影して得られた画像データからウェブコンテンツを生成する。このため、単一の端末で、さらにブラウザのタブやアプリケーションを切り替えることなく、各種画像を確認することができる。その結果、撮影や画像確認等の一連の医療行為を効率よく行うことができる。
【符号の説明】
【００５８】
１００  放射線画像撮影システム
１  放射線照射装置
１１  ジェネレーター
１２  放射線源
１３  操作卓
２  放射線画像撮影装置
２１  制御部（第１，第２通信手段、コンテンツ生成手段）
２２  放射線検知部
２３  読み出し部
２４  通信部（第１，第２通信手段）
２５  記憶部
２６  バス
３  携帯端末
３１  制御部
３２  通信部
３２Ａ  公衆回線通信部
３３  記憶部
３４  表示部
３５  操作部
３６  バス
Ｌ  リスト画面
Ｉ  診療情報画面
Ｉ１  ベース領域
Ｉ２  可変領域
Ｘ  放射線
【図１】
2019024673.tif 000003
【図２】
2019024673.tif 000004
【図３】
2019024673.tif 000005
【図４】
2019024673.tif 000006
【図５】
2019024673.tif 000007
【図６】
2019024673.tif 000008
【図７】
2019024673.tif 000009